(57)【要約】【課題】収納状態において可動棚部が前方から見えず、見栄えが悪くなるのを抑えることができる収納棚装置を提供する。【解決手段】下方に面する被収納面１０の前端部に覆い部１１が設けられて、覆い部１１の後方側に下方に開口する収納空間１２が形成される。可動棚部２の後端部が被収納面１０の後端部に枢支されて可動棚部２の前端部側が回動自在となり、可動棚部２が収納空間１２に収納される収納状態と、可動棚部２が収納空間１２の下方に位置する使用状態とが選択可能となる。被収納面１０の前端部に支持部３が設けられ、可動棚部１の前端部に支持部３に支持される被支持部４が設けられ、支持部３と被支持部４とが離接可能である。【選択図】図１
2012223411.tif 000002
【特許請求の範囲】
【請求項１】
下方に面する被収納面の前端部に覆い部が設けられて、前記覆い部の後方側に下方に開口する収納空間が形成され、可動棚部の後端部が前記被収納面の後端部に枢支されて前記可動棚部の前端部側が回動自在となり、前記可動棚部が前記収納空間に収納される収納状態と、前記可動棚部が前記収納空間の下方に位置する使用状態とが選択可能となり、前記被収納面の前端部に支持部が設けられ、前記可動棚部の前端部に前記支持部に支持される被支持部が設けられ、前記支持部と前記被支持部とが離接可能であることを特徴とする収納棚装置。
【請求項２】
前記支持部による前記被支持部の支持を解除する支持解除部を備えることを特徴とする請求項１記載の収納棚装置。
【請求項３】
前記被支持部は、前記可動棚部の前端部から前方に突出する突出部からなり、前記支持部は、前記突出部の軌道への進入および軌道からの退避を行う一対の移動体と、前記移動体を前記軌道へ進入する方向に付勢する付勢体と、を備えることを特徴とする請求項１または２記載の収納棚装置。
【請求項４】
前記被支持部は、前記可動棚部の前端部から前方に突出する突出部からなり、前記支持部は、前記突出部の軌道への進入および軌道からの退避を行う一対の弾性支持片が形成された、弾性を有する材料で一体に形成される可動体からなることを特徴とする請求項１または２記載の収納棚装置。
【発明の詳細な説明】
【技術分野】
【０００１】
本発明は、棚部が動くことで収納状態と使用状態とが選択可能な収納棚装置に関するものである。
【背景技術】
【０００２】
従来から、キッチンの上部に設けられるキャビネット等の下面に、食器等の載置物が載置される棚部が動くことで、収納状態と使用状態とが選択可能な収納棚装置が利用されている（例えば特許文献１参照）。
【０００３】
この収納棚装置１は、図９に示すように、キャビネット等の下面である被収納面１０に、可動棚部２の後端部が枢支され、前端部側が上下に回動するようになっている。なお、図９において、左方が使用者からみて手前となる前方（図中の矢印Ｆ）であり、右方が使用者からみて奥となる後方（図中の矢印Ｂ）である。
【０００４】
図９（ａ）に示すように、可動棚部２の前端部が上方に回動し、可動棚部２が被収納面１０に沿う状態が収納状態であり、図９（ｂ）に示すように、可動棚部２の前端部が下方に回動し、食器等の載置物が載置可能な状態が使用状態である。
【先行技術文献】
【特許文献】
【０００５】
【特許文献１】特２００９−１６０１３３号公報
【発明の概要】
【発明が解決しようとする課題】
【０００６】
この従来の収納棚装置１にあっては、図９（ａ）に示す収納状態において、可動棚部２が使用されていないにもかかわらず前方より可動棚部２が見えて、見栄えが悪いものであった。
【０００７】
本発明は上記従来の問題点に鑑みて発明したものであって、その目的とするところは、収納状態において可動棚部が前方から見えず、見栄えが悪くなるのを抑えることができる収納棚装置を提供することを課題とするものである。
【課題を解決するための手段】
【０００８】
上記課題を解決するために、本発明は、以下のような構成とする。
【０００９】
下方に面する被収納面の前端部に覆い部が設けられて、前記覆い部の後方側に下方に開口する収納空間が形成され、可動棚部の後端部が前記被収納面の後端部に枢支されて前記可動棚部の前端部側が回動自在となり、前記可動棚部が前記収納空間に収納される収納状態と、前記可動棚部が前記収納空間の下方に位置する使用状態とが選択可能となり、前記被収納面の前端部に支持部が設けられ、前記可動棚部の前端部に前記支持部に支持される被支持部が設けられ、前記支持部と前記被支持部とが離接可能であることを特徴とする。
【００１０】
また、前記支持部による前記被支持部の支持を解除する支持解除部を備えることを特徴とする。
【００１１】
また、前記被支持部は、前記可動棚部の前端部から前方に突出する突出部からなり、前記支持部は、前記突出部の軌道への進入および軌道からの退避を行う一対の移動体と、前記移動体を前記軌道へ進入する方向に付勢する付勢体と、を備えることを特徴とする。
【００１２】
また、前記被支持部は、前記可動棚部の前端部から前方に突出する突出部からなり、前記支持部は、前記突出部の軌道への進入および軌道からの退避を行う一対の弾性支持片が形成された、弾性を有する材料で一体に形成される可動体からなることを特徴とする。
【発明の効果】
【００１３】
本発明の収納棚装置は、可動棚部の収納状態において可動棚部が前方から見えず、見栄えが悪くなるのを抑えることができる
【図面の簡単な説明】
【００１４】
【図１】本発明の一実施形態を示し、（ａ）は収納状態の断面図であり、（ｂ）は腕部の前端部が下方に回動した状態の断面図であり、（ｃ）は被載置部が倒された使用状態の断面図である。
【図２】図１（ａ）の要部拡大図である。
【図３】同上における支持部ユニットの後斜め下方より見た分解斜視図である。
【図４】同上におけるベース板の前斜め上方より見た斜視図である。
【図５】他の実施形態におけるベース板の前斜め上方より見た斜視図である。
【図６】更に他の実施形態の可動体および可動棚部のベース板を設けた部分の前斜め上方より見た斜視図である。
【図７】同上における支持部ケースの後斜め下方より見た斜視図である。
【図８】更に他の実施形態を示し、（ａ）は要部側断面図であり、（ｂ）は可動体の斜視図である。
【図９】従来の収納棚装置の断面図である。
【発明を実施するための形態】
【００１５】
以下、本発明を添付図面に示す実施形態に基いて説明する。
【００１６】
収納棚装置１は、図１（ａ）に示すように、可動棚部２が上昇して収納空間１２に収納される収納状態と、図１（ｃ）に示すように、可動棚部２が下降して被載置部２２上に食器等の載置物が載置可能な使用状態が自在に選択可能である。
【００１７】
可動棚部２は、後端部が回転中心となるよう枢支され、前端部側が上下に回動するものである。本実施形態では図１に示すように、腕部２１と、被載置部２２とで構成される。腕部２１は、その後端部に設けられた枢支部２１１が、下方に面する被収納面１０の後端部に設けられた被枢支部（図示せず）に枢支され、枢支部２１１を中心にして腕部２１の前端部が上下に回動する。便宜上、使用者からみて手前となる方向を前方（図中の矢印Ｆ）とし、使用者からみて奥となる方向を後方または背方（図中の矢印Ｂ）とする。
【００１８】
被載置部２２は、食器、調理具、調理容器、調味料等の載置物が載置されるもので、本実施形態では平面視略矩形状の外郭を有する板、複数の棒、格子、網等からなる部材で、特に限定されない。被載置部２２は、その後端部に設けられた枢支部２２１が、腕部２１の前端部に設けられた被枢支部（図示せず）に枢支され、枢支部２２１を中心にして被載置部２２の先端部が回動する。
【００１９】
被収納面１０は、主にキッチンカウンター上部に設けられる収納キャビネットの下面等であるが、特に限定されず、被収納面１０が略下方を向いていればよい。この被収納面１０の前端部には、覆い部１１が設けられる。覆い部１１は、被収納面１０の左右方向（上記前後方向と直交する横方向）の略全長に亘って、または被収納面１０の収納棚装置１が設けられる部分の前側部分に取り付けられて、前方から収納状態の可動棚部２が見えるのを防止するもので、側断面が矩形状をしており、上下長さは２〜５ｃｍ程度である。そして、被収納面１０に取り付けられた覆い部１１の後方側に、下方に開口する収納空間１２が形成される。なお、覆い部１１は、被収納面１０の上側に設けられた収納キャビネットの前面を覆う扉であってもよい。
【００２０】
収納空間１２の前端部（本実施形態では覆い部１１の背面）に、収納棚装置１の支持部３が設けられ、可動棚部２の前端部に、被支持部４が設けられる。支持部３と被支持部４とは、離接可能に設けられる。
【００２１】
支持部３は、図２に示すように、可動体５からなり、本実施形態では、支持部ユニット３０に可動体５が設けられる。また、被支持部４は、可動棚部２から突出する突出部４１からなり、可動棚部２の前端部の上下の回動により突出部４１も上下に回動し、所定の軌道を通る。そして可動体５は、突出部４１の軌道への進入、軌道からの退避を行うように進退可能に設けられる。
【００２２】
支持部ユニット３０は、図３に示すように、支持部ケース３１と、支持部ケース３１に収納される可動体５と、可動体５を突出部４１の軌道から退避させる支持解除部３２と、を備えている。
【００２３】
支持部ケース３１は、背方および下方に開口する略箱状をしたもので、正面視において上端部から両側にフランジ部３５が設けられており、フランジ部３５には固着具挿通孔３６が形成されている。そして、図２に示すように、支持部ケース３１の前壁が覆い部１１の背面に当接し、かつ、フランジ部３５が被収納面１０に当接する状態で、固着具挿通孔３６を介して固着具（図示せず）が被収納面１０に固着されて、支持部ケース３１が取り付けられる。
【００２４】
可動体５は、本実施形態では図３に示すように、一対の移動体５１と、移動体５１に設けられる付勢体５２と、からなる。図２に示すように、移動体５１の上面が、突出部４１（被支持部４）の下面の被支持面４１１が載置される支持面５３となる。移動体５１の支持面５３の先端部には、先端に行く程上方に位置する傾斜面５４が形成されている。付勢体５２は、移動体５１を突出部４１の軌道へ進入する方向に付勢するもので、付勢体５２の付勢力以外の力がかからない時には、付勢体５２の付勢力により移動体５１は突出部４１の軌道へ進入している。本実施形態では付勢体５２はバネからなる。移動体５１の突出部４１の軌道への進退方向は、左右方向となるもので、支持部ケース３１に、移動体５１が左右方向に進退するためのガイド（図示せず）が設けられる。なお、移動体５１および付勢体５２は一対でなくても一個でもよく、また三個以上でもよい。
【００２５】
支持解除部３２は、支持部３による被支持部４の支持を解除するもので、本実施形態では図３に示すように、突出部４１の軌道へ進入し突出部４１を支持している移動体５１を、突出部４１の軌道から退避させるものである。支持解除部３２は、前面に被ガイド部（図示せず）が設けられており、支持部ケース３１に形成されたガイド３７に被ガイド部が係合することで、支持部ケース３１に対し所定の上下動が可能となり、かつ、落下防止がなされる。このような被ガイド部とガイド３７として様々な形状が適用可能であり、特に限定されない。
【００２６】
支持解除部３２は、上面に傾斜面５４と略同方向に傾斜する傾斜面３３が形成されており、下面が使用者に指で押される押し部３４となっている。支持解除部３２は、押し部３４が使用者により押し上げられていない時には、自重により下降して移動体５１よりも下方に位置する。ただし、被ガイド部がガイド３７に載置されるため、支持解除部３２は落下はしない。そして、使用者により押し部３４が押し上げられて、傾斜面３３により傾斜面５４が上方に付勢されると、移動体５１は付勢体５２の付勢力に抗って、突出部４１の軌道から退避し、移動体５１による突出部４１の支持が解除される。
【００２７】
被支持部４は、本実施形態では図４に示すように、突出部４１を備えたベース板４０からなる。ベース板４０には固着具挿通孔４２が形成されており、固着具挿通孔４２を介して固着具（図示せず）が腕部２１の前端部に固着されてベース板４０が固定され、可動棚部２の前端部から突出部４１が前方に突出する。突出部４１の下面が被支持面４１１となる。
【００２８】
この収納棚装置１にあっては、使用状態から収納状態へと移行する場合には、図１（ｃ）に示す状態から、被載置部２２が枢支部２２１を中心に回動されて側面視において腕部２１内に収納される（図１（ｂ）参照）。次に、枢支部２１１を中心にして腕部２１の前端部が上方に回動され、突出部４１が移動体５１の傾斜面５４に当接して上方に付勢する。移動体５１は傾斜面５４が上方に付勢されることで、付勢体５２の付勢力に抗って突出部４１の軌道から退避し、突出部４１が上方に通過する。突出部４１が上方に通過した後、移動体５１は付勢体５２の付勢力により突出部４１の軌道へ進入して突出部４１の下方に位置し、その支持面５３にて被支持面４１１を支持する（図１（ａ）、図２参照）。
【００２９】
また、収納状態から使用状態への移行は、図１（ａ）に示す状態において、押し部３４が押し上げられて、傾斜面３３により傾斜面５４が上方に付勢され、移動体５１が突出部４１の軌道から退避する。移動体５１が軌道から退避すると突出部４１が下降し、最終的に図１（ｃ）に示す状態となる。なお、突出部４１は可動棚部２の自重により下降してもよいし、使用者が力を加えて下降させてもよい。
【００３０】
上記収納棚装置１にあっては、被収納面１０の前端部に覆い部１１が設けられているため、収納状態の可動棚部２が前方から見えず、見栄えが悪くなるのが抑えられるものである。
【００３１】
また、被支持部４の他の実施形態を図５に示す。図４に示す実施形態の被支持部４と同じ構成については同符号を付して説明を省略する。
【００３２】
本実施形態の被支持部４にあっては、前方に突出する側面視Ｌ字状をした突出部の上端部から、前方に向けて更なる突出部が突出し、その下面が被支持面４１１となっている。また、更なる突出部の上面が、前方へ行く程下方に位置する傾斜面４３が形成されている。傾斜面４３が形成されていることで、突出部４１が傾斜面５４を上方に付勢して移動体５１を軌道から退避させる動作がスムーズに行われる。また、簡単な構成で支持部３と被支持部４とが形成されるものである。
【００３３】
次に、更に他の実施形態について図６、図７に基づいて説明する。なお、図１乃至図４に示す実施形態と同じ構成については同符号を付して説明を省略する。
【００３４】
本実施形態における支持部３となる可動体５は、図６に示すように、弾性を有する材料によって、上片５５、垂下片５６、弾性支持片５７、フランジ部５８が一体に形成されるものである。上片５５の左右両端部からそれぞれ下方に垂下片５６が垂下され、各垂下片５６の下端部から対向する方向に弾性支持片５７が突設される。上片５５の左右両端部からそれぞれ外側方にフランジ部５８が連設される。弾性支持片５７の上面が支持面５３となるもので、弾性支持片５７は、互いに近づく方へ行く程上方に位置するよう傾斜している。
【００３５】
可動体５は、図７に示す支持部ケース３１に収納される。支持部ケース３１は、側壁の内面に前後方向にリブ３１１が形成され、リブ３１１と天蓋との間がフランジ部５８の収容部３１２となる。
【００３６】
支持解除部３２は、図６に示すように、前面に突出部３８が形成されており、突出部３８の両側に溝３９が形成されている。この溝３９内に図７に示すガイド３７が挿入され、支持解除部３２が支持部ケース３１に対し所定の上下動が可能となり、かつ、落下防止がなされる。このような突出部３８および溝３９、ガイド３７として様々な形状が適用可能であり、特に限定されない。
【００３７】
被支持部４となる突出部４１は、下面の被支持面４１１が支持面５３に沿うように略逆Ｖ字状となるように傾斜している。
【００３８】
本実施形態の収納棚装置１にあっては、使用状態から収納状態へと移行する場合には、腕部２１の前端部が上方に回動され、突出部４１が弾性支持片５７の傾斜面５４に当接して上方に付勢する。弾性支持片５７は傾斜面５４が上方に付勢されることで弾性変形して、突出部４１の軌道から退避し、突出部４１が上方に通過する。突出部４１が上方に通過した後、弾性支持片５７は弾性力により復元されて軌道へ進入して突出部４１の下方に位置し、その支持面５３にて被支持面４１１を支持する。
【００３９】
また、収納状態から使用状態への移行は、押し部３４が押し上げられて、傾斜面３３により傾斜面５４が上方に付勢され、弾性支持片５７が弾性変形して軌道から退避する。弾性支持片５７が軌道から退避すると突出部４１が下降し、収納状態となるものである。
【００４０】
これにより、簡単な構成で支持部３と被支持部４とが形成されるものである。
【００４１】
次に、更に他の実施形態について図８に基づいて説明する。なお、図１乃至図４に示す実施形態と同じ構成については同符号を付して説明を省略する。
【００４２】
本実施形態における支持部３は、図８に示すように、弾性を有する材料によって形成される可動体６１からなるものである。可動体６１は、先端が互いに対向する弾性支持片６２が形成され、可動体６１には固着具挿通孔６３が形成されている。覆い部１１の背面にカバー６０が固定されている。可動体６１は、固着具挿通孔６３およびカバー６０に形成された挿通孔（図示せず）を介して固着具（図示せず）が覆い部１１の背面に固着されて取り付けられる。
【００４３】
腕部２１の前端部にはボール７が埋設されて、被支持部４として半球面状の突出部が形成されている。
【００４４】
本実施形態の収納棚装置１にあっては、使用状態から収納状態へと移行する場合には、腕部２１の前端部が上方に回動され、ボール７からなる突出部が下側の弾性支持片６２に当接して付勢する。下側の弾性支持片６２は弾性変形して、突出部の軌道から退避し、突出部が下側の弾性支持片６２を通過して上方へ抜ける。下側の弾性支持片６２を通過して上方へ抜けた後、下側の弾性支持片６２は弾性力により復元されて軌道へ進入し、下側の弾性支持片６２と上側の弾性支持片６２とで突出部を保持する。
【００４５】
また、収納状態から使用状態への移行は、腕部２１に下向きの力が加えられることで、突出部が下側の弾性支持片６２に当接して付勢し、下側の弾性支持片６２が弾性変形して突出部の軌道から退避する。突出部が下側の弾性支持片６２を通過して下方へ抜け、使用状態となるものである。
【００４６】
これにより、簡単な構成で支持部３と被支持部４とが形成されるものである。
【符号の説明】
【００４７】
１    収納棚装置
１０  被収納面
１１  覆い部
１２  収納空間
２    可動棚部
２１  腕部
２１１  枢支部
２２  被載置部
２２１  枢支部
３    支持部
３０  支持部ユニット
３１  支持部ケース
３１１  リブ
３１２  収容部
３２  支持解除部
３３  傾斜面
３４  押し部
３５  フランジ部
３６  固着具挿通孔
３７  ガイド
３８  突出部
３９  溝
４    被支持部
４０  ベース板
４１  突出部
４１１  被支持面
４２  固着具挿通孔
４３  傾斜面
５    可動体
５１  移動体
５２  付勢体
５３  支持面
５４  傾斜面
５５  上片
５６  垂下片
５７  弾性支持片
５８  フランジ部
【図１】
2012223411.tif 000003
【図２】
2012223411.tif 000004
【図３】
2012223411.tif 000005
【図４】
2012223411.tif 000006
【図５】
2012223411.tif 000007
【図６】
2012223411.tif 000008
【図７】
2012223411.tif 000009
【図８】
2012223411.tif 000010
【図９】
2012223411.tif 000011